(57)【要約】【課題】上部筐体の放熱性を高める。【解決手段】実施形態の照明装置は、上部筐体と、下部筐体とを具備する。上部筐体は、天井と接続する天板と、底板部を含むカバー部材とを有し、天板とカバー部材とで覆われた内部に電源部を収納する。下部筐体は、上部筐体の底板部に取り付けられ、内部に光源部を収納するとともに、光源部外周に向かって放射状に設けられた複数の放熱フィンを有する。【選択図】図３
2015158987.tif 000002
【特許請求の範囲】
【請求項１】
天井と接続する天板と、底板部を含むカバー部材とを有し、前記天板と前記カバー部材とで覆われた内部に電源部を収納する上部筐体と；
前記上部筐体の底板部に取り付けられ、内部に光源部を収納するとともに、前記光源部外周に向かって放射状に設けられた複数の放熱フィンを有する下部筐体と；
を具備する照明装置。
【請求項２】
前記天板と、前記カバー部材との間に間隙を設けて前記天板を前記底版部に取り付ける取付部材と；
を具備する請求項１に記載の照明装置。
【請求項３】
前記底板部は、前記取付部材を取り付けるための穴を有する、
請求項１又は２に記載の照明装置。
【発明の詳細な説明】
【技術分野】
【０００１】
本発明の実施形態は、照明装置に関する。
【背景技術】
【０００２】
従来、店舗などの天井に設置される照明装置がある。かかる照明装置は、例えば、天井より吊り下げられる、又は天井に直付けされ、内部に電源部などを収納する上部筐体と、この上部筐体の下に取り付けられ、光源部などを収納する下部筐体とを具備し、光源部内の光源モジュールより直下に光を投光する。しかし、このような照明装置では、上部筐体の内部において熱がこもりやすく、放熱性が悪かった。
【先行技術文献】
【特許文献】
【０００３】
【特許文献１】特開２０１１−２２２４３３号公報
【発明の概要】
【発明が解決しようとする課題】
【０００４】
本発明が解決しようとする課題は、上部筐体の放熱性を高めることができる照明装置を提供することである。
【課題を解決するための手段】
【０００５】
実施形態の照明装置は、上部筐体と、下部筐体とを具備する。上部筐体は、天井と接続する天板と、底板部を含むカバー部材とを有し、天板とカバー部材とで覆われた内部に電源部を収納する。下部筐体は、上部筐体の底板部に取り付けられ、内部に光源部を収納するとともに、光源部外周に向かって放射状に設けられた複数の放熱フィンを有する。
【図面の簡単な説明】
【０００６】
【図１】図１は、第１の実施形態に係る照明装置を示す正面図である。
【図２】図２は、第１の実施形態に係る照明装置を示す斜視図である。
【図３】図３は、図２のＡ−Ａ断面図である。
【図４】図４は、上部筐体、下部筐体の組付けを例示する分解斜視図である。
【図５】図５は、図４の下部筐体を下方から見た底面図である。
【図６】図６は、上部筐体の内部を例示する斜視図である。
【図７】図７は、第２の実施形態に係る照明装置を示す正面図である。
【図８】図８は、第２の実施形態に係る照明装置を示す斜視図である。
【図９】図９は、図８のＢ−Ｂ断面図である。
【図１０】図１０は、天板、上部筐体、下部筐体の組付けを例示する分解斜視図である。
【図１１】図１１は、図１０の下部筐体を下方から見た底面図である。
【図１２】図１２は、上部筐体の内部を例示する斜視図である。
【発明を実施するための形態】
【０００７】
以下、図面を参照して、実施形態にかかる照明装置を説明する。実施形態において同一の機能を有する構成には同一の符号を付し、重複する説明は省略する。なお、以下の実施形態で説明する照明装置は、一例を示すに過ぎず、実施形態を限定するものではない。また、以下の各実施形態は、矛盾しない範囲内で適宜組みあわせてもよい。
【０００８】
以下で説明する実施形態にかかる照明装置１において、上部筐体３０は、天井２と接続する天板３０２と、底板部３０５を含むカバー部材３０１とを有する。上部筐体３０は、天板３０２とカバー部材３０１とで覆われた内部に電源部３０７を収納する。下部筐体２０は、上部筐体３０の底板部３０５に取り付けられ、内部に光源部２０２を有するとともに、光源部２０２外周に向かって放射状に設けられた複数の放熱フィン２０５を有する。
【０００９】
また、以下で説明する実施形態にかかる照明装置１において、取付部材３５２は、天板３０２と、カバー部材３０１との間に間隙を設けて天板３０２を底板部３０５に取り付ける。
【００１０】
また、以下で説明する実施形態にかかる照明装置１において、底板部３０５は、取付部材３５２を取り付けるための取付穴３１４、３１５を有している。
【００１１】
また、以下で説明する実施形態にかかる照明装置１において、下部筐体２０は、光源部２０２を冷却するための放熱フィン２０５が並べられた放熱ユニット２０１であり、取付部材３５２を取り付けるための穴は、放熱フィン２０５の間、又は放熱フィン２０５により一部が隠される位置に設けられる。
【００１２】
また、以下で説明する実施形態にかかる照明装置１において、取付部材３５２は、電源部３０７と、その電源部３０７に取り付けられた部材（固定部材３０６、放熱板３１０）を含む。
【００１３】
また、以下で説明する実施形態にかかる照明装置１において、電源部３０７は、天板３０２、底板部３０５とは、電源部３０７に取り付けられた部材（固定部材３０６、放熱板３１０）を介して接続する。
【００１４】
（第１の実施形態）
［照明装置の外観例］
図１は、第１の実施形態に係る照明装置１を示す正面図である。図２は、第１の実施形態に係る照明装置１を示す斜視図である。図１に示すように、照明装置１は、天井２より吊り下げる、吊り下げ型であり、反射傘１０、下部筐体２０、上部筐体３０及び吊り下げ部４０を有する。
【００１５】
吊り下げ部４０は、天井２より上部筐体３０を吊り下げる部材であり、天井取付器具４１、鎖４２及び天板取付器具４３を有する。天井取付器具４１は、天井２に直付けする、例えばおわん型の部材であり、下部において鎖４２の一端を接続する。鎖４２は、天井２より吊り下げる分の長さを有し、天井取付器具４１より吊り下げられた先端側には天板取付器具４３が接続される。図２に示すように、天板取付器具４３は、アイボルトなどであり、上部筐体３０の上部にある天板３０２の中央部分に取り付けられる。
【００１６】
反射傘１０は、例えば亜鉛めっき鋼板などの板金により、開いた傘型に形成されている。反射傘１０は、下部筐体２０の下部に取り付けられ、下部筐体２０より発光される光を内壁面で反射して投光方向を調整し、下方（Ｙ軸方向）への投光を行う。
【００１７】
下部筐体２０は、上部筐体３０の下部に取り付けられ、放熱ユニット２０１で覆われた内部に収納された光源モジュール２０７（図３参照）より光を投光する。放熱ユニット２０１は、熱伝導性の高い亜鉛、アルミニウム、マグネシウムなどの合金によるダイキャスト製であり、下部筐体２０の外側を覆うカバー材を兼ねている。
【００１８】
上部筐体３０は、例えば亜鉛めっき鋼板などの板金より形成されたカバー部材３０１と、天板３０２とを有し、カバー部材３０１及び天板３０２で覆われた内部には光源モジュール２０７へ電力を供給するための電源部３０７（図３参照）が収納される。カバー部材３０１は、底部及び側面外周を覆う円筒形状の部材である。天板３０２は、カバー部材３０１の上部における開口部分を覆う円形部材である。天板３０２には、中央部分において天板取付器具４３が装着され、電源・信号ケーブル（図示しない）を通すブッシュ３０３と、ネジ（図示しない）を通すネジ穴３０４とが設けられている。
【００１９】
天板３０２の径は、カバー部材３０１の上部における開口部分の径よりも小さい。よって、カバー部材３０１の上部における開口部分を天板３０２で覆った構成において、カバー部材３０１の上部の縁と天板３０２の外周の縁との間には間隙Ｓ１が形成される。具体的には、天板３０２の外周の縁から等間隔な間隙Ｓ１が形成されている。この間隙Ｓ１により、上部筐体３０の内部と外部との間では、空気の出入りが可能となっている。なお、間隙Ｓ１は、上部筐体３０内部への埃の侵入を極力少なくすることから、あまり大きなものではなく、上部筐体３０の内部で暖められた空気が外部へ逃げることができる程度の大きさで形成されることが好ましい。
【００２０】
［照明装置の内部構成例］
図３は、図２のＡ−Ａ断面図である。図３に示すように、反射傘１０は、反射傘固定部材１０１を介して下部筐体２０の下部に取り付けられる。反射傘固定部材１０１は、例えば亜鉛めっき鋼板などの板金より形成され、投光のための光を通す開口を設けたリング状の部材である。反射傘固定部材１０１は、リングの縁において外向き突出されたフランジ部分で反射傘１０を支持し、リングの開口部分を光源部２０２の位置に合わせた状態でネジ１０２により下部筐体２０に取り付けられる。
【００２１】
下部筐体２０は、放熱ユニット２０１の内部において、光源部２０２を具備する。光源部２０２は、下向きに開口が設けられた例えば円筒形状の光源収納部２０３を有する。光源部２０２は、放熱ユニット２０１の略中央に設けられた軸２０４上に設けられ、軸２０４を中心に放熱ユニット２０１の外周に向かって放射状に複数設けられた放熱フィン２０５により支持されている。この放射状に複数設けられた放熱フィン２０５の間は、上下方向に貫通する通気孔２０５ａ（図４、図５参照）を有している。具体的には、一つの通気孔２０５ａは、放射状に複数設けられた放熱フィン２０５の間と、光源部２０２と、放熱ユニット２０１の外周の内壁面とによって挟まれて形成されており、放射状に複数設けられた放熱フィン２０５の間ごとに通気孔２０５ａが形成されている。
【００２２】
光源収納部２０３の上部には、光源モジュール取付部２０６が設けられており、光源モジュール２０７を下向きに取り付ける。光源モジュール取付部２０６は、例えば熱伝導性の高い金属製であり、光源モジュール２０７より発生した熱を放熱フィン２０５へと逃がす役割も果たしている。光源モジュール２０７は、基板の所定面にＬＥＤ（Light Emitting Diode）等の発光素子が実装され、かつ、発光素子が実装された面とは反対の面が光源モジュール取付部２０６に取り付けられている。
【００２３】
光源モジュール２０７の下側には、反射板２０８が設けられている。反射板２０８は、例えば、ＡＢＳ樹脂等の合成樹脂製、又は、アルミダイカストなどの金属製であり、上下両端がそれぞれ略円形に開口されたお椀を伏せた形状に形成される。反射板２０８は、光源モジュール２０７から発光される光を反射する。反射板２０８の下側開口部分には、板ガラス２０９がネジ２１０により取り付けられている。この板ガラス２０９は、光源モジュール２０７からの光の拡散や、光源モジュール２０７への埃の侵入防止などの役割を果たす。
【００２４】
下部筐体２０の上部には、上部筐体３０の底板部３０５に通すブッシュ２１３と、底板部３０５にネジ止めするためのネジ穴２１４とが設けられている。ブッシュ２１３は、光源収納部２０３まで挿通されており、上部筐体３０からのケーブル（電源線、信号線など）を光源モジュール２０７へ通す。
【００２５】
上部筐体３０は、カバー部材３０１の内部において、固定部材３０６、電源部３０７及び放熱板３１０を具備する。固定部材３０６は、例えば両サイドより起立して中央部分に平面が形成されたアーチ形状の板金であり、カバー部材３０１の底板部３０５の内側上面に取り付けられる。固定部材３０６の中央部分（アーチ形状の頂上部分）の上面には、電源部３０７がネジなどで取り付けられる。
【００２６】
このように、電源部３０７を底板部３０５に直付することなく、固定部材３０６を介して取り付けることで、光源部２０２からの熱影響を受けることなく、電源部３０７が発生する熱を固定部材３０６を介して逃がすことができ、電源部３０７の放熱性を高めることができる。また、固定部材３０６のアーチ形状の頂上部分において電源部３０７が取り付けられ、電源部３０７は、底板部３０５より浮いた形となっている。したがって、電源部３０７の周囲においては風の通りがよくなることから、より放熱性が高いものとなっている。
【００２７】
電源部３０７は、基板３０８、３０９を具備する。基板３０８、３０９は、ブッシュ３０３からの電源・信号ケーブルと接続し、光源モジュール２０７で点灯／消灯／調光などを行うための駆動電力を生成して光源モジュール２０７へ出力する。電源部３０７の上面には放熱板３１０がネジなどで取り付けられる。放熱板３１０は、例えば熱伝導性の高い金属製の板金である。放熱板３１０は、中央部分で起立した形状であり、起立した部分を境にして一端側の平面で電源部３０７と接合し、他端側の平面で天板３０２と接合する。放熱板３１０は、例えば溶接などにより天板３０２に取り付けられる。
【００２８】
このように、電源部３０７を天板３０２に直付することなく、放熱板３１０を介して取り付けることで、電源部３０７が発生する熱を放熱板３１０を介して逃がすことができ、電源部３０７の放熱性を高めることができる。また、放熱板３１０の起立した部分により、電源部３０７は、天板３０２より離れた形となっている。したがって、電源部３０７の周囲においては風の通りがよくなることから、より放熱性が高いものとなっている。
【００２９】
また、固定部材３０６、電源部３０７及び放熱板３１０は、カバー部材３０１の底板部３０５より上方に向かって、固定部材３０６、電源部３０７、放熱板３１０の順に取り付けられている。そして、放熱板３１０の上部には天板３０２が取り付けられる。このため、照明装置１は、天井２から吊り下げた場合に、カバー部材３０１の外周の壁面を介して支持されるのではなく、底板部３０５より天板３０２までの間に順に取り付けられた固定部材３０６、電源部３０７、放熱板３１０により支持される。すなわち、底板部３０５より天板３０２までの間に順に取り付けられた固定部材３０６、電源部３０７、放熱板３１０は、天井２からの取付部材としての役割も果たしている。このように、天井２からの取付部材がカバー部材３０１の底板部３０５に取り付けられることから、カバー部材３０１の上部の縁と天板３０２の外周の縁との間において、間隙Ｓ１を形成することが可能となっている。
【００３０】
［上部筐体、下部筐体の組付け例］
図４は、上部筐体３０、下部筐体２０の組付けを例示する分解斜視図である。図５は、図４の下部筐体２０を下方から見た底面図である。なお、図４においては、上部筐体３０、下部筐体２０を組み付ける様子を見やすくするため、カバー部材３０１を二点鎖線で描き、半透視状態としている。
【００３１】
図４に示すように、底板部３０５には、ネジ穴３１１、挿入穴３１２、３１３、取付穴３１４、３１５が設けられている。ネジ穴３１１は、カバー部材３０１の底板部３０５を固定部材３０６に取り付ける際にネジを通す穴である。挿入穴３１２は、軸２０４を通す穴であり、挿入穴３１３はブッシュ２１３を通す穴である。取付穴３１４、３１５は、取付部材３５２（図１０参照）を取り付けるためのダルマ穴である。本実施形態では、取付部材３５２を用いることがないことから、取付穴３１４、３１５は常に空いた状態として使用される。
【００３２】
固定部材３０６には、ネジ穴３１６、挿入穴３１７、３１８が設けられている。ネジ穴３１６は、ネジ穴３１１を通したネジを受ける穴である。挿入穴３１７は、軸２０４を通す穴であり、挿入穴３１８はブッシュ２１３を通す穴である。図５に示すように、下部筐体２０の底面側には、固定部材３０６のネジ穴３１６及び底板部３０５のネジ穴３１１と対応する位置にネジ穴２１４が設けられている。
【００３３】
上部筐体３０と下部筐体２０との組付けでは、図４中の一点鎖線で示したように、天板３０２に放熱板３１０、電源部３０７、固定部材３０６まで組み付けた状態で、固定部材３０６のネジ穴３１６と、底板部３０５のネジ穴３１１との位置を合わせて下部筐体２０を組み付ける。次いで、下部筐体２０のネジ穴２１４よりネジを通してネジ止めする。これにより、下部筐体２０は、上部筐体３０の底板部３０５に取り付けられることとなる。
【００３４】
この上部筐体３０の底板部３０５に下部筐体２０を取り付けた時に、底板部３０５に設けられた取付穴３１４、３１５の位置は、放熱フィン２０５の直上とならないことが好ましい。具体的には、取付穴３１４のように、放熱フィン２０５の間から見えるようにすることで、取付穴３１４における作業性や、取付穴３１４からの空気の取り入れを容易とすることができる。また、取付穴３１５のように、一部が放熱フィン２０５の直上となる場合は、ネジ止めなどを行う小径の穴、及びネジの挿入などを行う大径の穴が、放熱フィン２０５の直上とならなければよい。より具体的には、大径の穴から小径の穴へのスライド部分で放熱フィン２０５と被る形であればよい。
【００３５】
［下部筐体２０（放熱ユニット２０１）内の空気の流れ］
図３に示すように、通気孔２０５ａを下側から上側に抜ける風Ｗａ、Ｗｂが流れることで、光源部２０２より発生した熱が放熱フィン２０５から放熱される。これにより、光源部２０２の温度が下げられる。
【００３６】
ここで、風Ｗａは、通気孔２０５ａを下側から侵入した外気の一部の流れを示し、通気孔２０５ａの上側に抜けた後にカバー部材３０１の外側へ通過する空気の流れである。また、風Ｗｂは、通気孔２０５ａを下側から侵入した外気の一部の流れを示し、通気孔２０５ａの上側に抜けた後に取付穴３１４、３１５を通ってカバー部材３０１の内側を流れて間隙Ｓ１より抜ける空気の流れである。この風Ｗｂは、カバー部材３０１の内側を通過することから、電源部３０７の温度の低下を助長する。
【００３７】
［上部筐体内の空気の流れ］
図６は、上部筐体３０の内部を例示する斜視図である。図６に示すように、上部筐体３０の内部においては、底板部３０５に設けられた取付穴３１５、３１４などにより、底板部３０５を抜けて上に流れる風Ｗ１が生じる。そして、カバー部材３０１の上部の縁と天板３０２の外周の縁との間に形成された間隙Ｓ１により、上部筐体３０の内部の空気が外へ流れる風Ｗ２が生じる。この風Ｗ１、Ｗ２によって、上部筐体３０は、内部から外部に熱が逃げやすくなり、放熱性が高くなる。
【００３８】
（第２の実施形態）
［照明装置の外観例］
図７は、第２の実施形態に係る照明装置１ａを示す正面図である。図８は、第２の実施形態に係る照明装置１ａを示す斜視図である。図７に示すように、照明装置１ａは、天井２に上部筐体３０ａの天板３５０を直付けする、直付け型である。
【００３９】
図８に示すように、天板３５０は、例えば亜鉛めっき鋼板などの板金より形成された円形部材である。天板３５０には、ネジ穴３０４の他、天井２と接触する凸形状の接触部３５１と、取付部材３５２の端部を通す挿通穴３５３とが設けられている。取付部材３５２は、天板３５０を上部筐体３０ａの底板部３０５に取り付けるための、例えば亜鉛めっき鋼板などの板金より形成された板状部材である。
【００４０】
［照明装置の内部構成例］
図９は、図８のＢ−Ｂ断面図である。図９に示すように、取付部材３５２は、板状部材が延在するアーム部３６０と、アーム部３６０の両端部分において、取付部３６１、３６２とを具備する。取付部３６１は、アーム部３６０の一端側（取り付け時下側）においてＬ字状に折れ曲がったところであり、折れ曲がった面が底板部３０５と接触した際にアーム部３６０を起立した状態で支持する。取付部３６１において、底板部３０５と接触する面には、底板部３０５にネジ止めするためのネジ穴３６３（図１０参照）が設けられている。
【００４１】
取付部３６２は、アーム部３６０の一端側（取り付け時上側）においてＬ字状に折れ曲がったところであり、折れ曲がった面が挿通穴３５３を通って天板３５０に取り付けられ、アーム部３６０を起立した状態で支持する。取付部３６２において、天板３５０に取り付けられる面には、天板３５０のネジ穴３０４にネジ止めするためのネジ穴が設けられている。
【００４２】
このように、照明装置１ａは、天井２に直付した場合に、カバー部材３０１の外周の壁面を介して支持されるのではなく、取付部材３５２により支持される。このように、天井２からの天板３５０を介した取付部材３５２がカバー部材３０１の底板部３０５に取り付けられることから、カバー部材３０１の上部の縁と天板３５０の外周の縁との間において、間隙Ｓ２を形成することが可能となっている。
【００４３】
この間隙Ｓ２により、上部筐体３０ａの内部と外部との間では、空気の出入りが可能となっている。この間隙Ｓ２の上下方向の幅は、取付部材３５２のアーム部３６０の長さにより調整可能であり、上部筐体３０ａ内部への埃の侵入を極力少なくすることから、あまり大きなものではなく、上部筐体３０ａの内部で暖められた空気が外部へ逃げることができる程度の大きさで形成されることが好ましい。
【００４４】
また、取付部材３５２によって、天板３５０と放熱板３１０とを接触させることなく取り付け可能であることから、放熱板３１０の周囲においては風の通りがよくなり、より放熱性が高いものとすることができる。
【００４５】
［天板、上部筐体、下部筐体の組付け例］
図１０は、天板３５０、上部筐体３０ａ、下部筐体２０の組付けを例示する分解斜視図である。図１１は、図１０の下部筐体２０を下方から見た底面図である。なお、図１０においては、上部筐体３０ａに下部筐体２０を組み付ける様子を見やすくするため、カバー部材３０１を二点鎖線で描き、半透視状態としている。
【００４６】
図１０に示すように、天板３５０は、取付部材３５２を取り付けた状態であり、天井２に直付されているものとする。ここで、図１０中の一点鎖線で示したように、放熱板３１０、電源部３０７、固定部材３０６まで組み付けた状態で、固定部材３０６のネジ穴３１６と、底板部３０５のネジ穴３１１との位置を合わせて下部筐体２０を組み付ける。次いで、下部筐体２０のネジ穴２１４よりネジを通して下部筐体２０を上部筐体３０ａの底板部３０５にネジ止めする。次いで、下部筐体２０を上部筐体３０ａの底板部３０５に取り付けた状態で、カバー部材３０１を持ち上げて、取付部材３５２の取付部３６１に設けられたネジ穴３６３を、取付穴３１４、３１５に合わせてネジ止めする。
【００４７】
具体的には、図１１に示すように、取付部材３５２のネジ穴３６３にネジ（図示しない）を通した状態で、そのネジを取付穴３１４、３１５の大径部３７０に通す。そして、カバー部材３０１を時計回りに回転させて、ネジが取付穴３１４、３１５の小径部３７１までスライドしたところで、ネジ締めを行う。なお、大径部３７０と小径部３７１とを接続する部分（ネジがスライドする部分）は、ネジ締めを行ったところで取付部材３５２により大径部３７０が隠されない程度の長さを有するものとする。これにより、取付部材３５２を取り付けた状態であっても、大径部３７０を介して空気の出入りが可能となる。
【００４８】
［下部筐体２０（放熱ユニット２０１）内の空気の流れ］
図９に示すように、通気孔２０５ａを下側から上側に抜ける風Ｗａ、Ｗｂが流れることで、光源部２０２より発生した熱が放熱フィン２０５から放熱される。これにより、光源部２０２の温度が下げられる。
【００４９】
ここで、風Ｗａは、通気孔２０５ａを下側から侵入した外気の一部の流れを示し、通気孔２０５ａの上側に抜けた後にカバー部材３０１の外側へ通過する空気の流れである。また、風Ｗｂは、通気孔２０５ａを下側から侵入した外気の一部の流れを示し、通気孔２０５ａの上側に抜けた後に取付穴３１４、３１５を通ってカバー部材３０１の内側を流れて間隙Ｓ２より抜ける空気の流れである。この風Ｗｂは、カバー部材３０１の内側を通過することから、電源部３０７の温度の低下を助長する。
【００５０】
［上部筐体内の空気の流れ］
図１２は、上部筐体３０ａの内部を例示する斜視図である。図１２に示すように、上部筐体３０ａの内部においては、取付部材３５２を取付穴３１５、３１４に取り付けた状態で、大径部３７０より、底板部３０５を抜けて上に流れる風Ｗ１が生じる。そして、カバー部材３０１の上部の縁と天板３５０の外周の縁との間に形成された間隙Ｓ２により、上部筐体３０ａの内部の空気が外へ流れる風Ｗ２が生じる。この風Ｗ１、Ｗ２によって、上部筐体３０ａは、内部から外部に熱が逃げやすくなり、放熱性が高くなる。
【００５１】
（実施形態の効果）
上述してきたように、実施形態に係る照明装置１では、下部筐体２０は、光源部２０２及び軸２０４の外周に向かい放射状に複数の放熱フィン２０５が形成されている。この複数の放熱フィン２０５により形成された通気孔２０５ａの下側から上側に向けて空気の流れができ、この空気の流れは、放熱フィン２０５管を通過して上部筐体３０の底板部３０５及びカバー部材３０１の外壁を介して主に通過する。また、一部の空気の流れは、取付穴３１４、３１５を通過して上部筐体３０内を通過することから、電源部３０７の温度低減も助長することができる。また、複数の放熱フィン２０５により形成された通気孔２０５ａから、取付穴３１４、３１５における作業性や、取付穴３１４、３１５からの空気の取り入れを容易とすることができる。
【００５２】
また、実施形態にかかる照明装置１では、取付部材としての固定部材３０６、電源部３０７及び放熱板３１０は、天板３０２と、カバー部材３０１との間に間隙Ｓ１を設けて天板３０２を底板部３０５に取り付ける。このため、実施形態にかかる照明装置１によれば、間隙Ｓ１より上部筐体３０内の空気を外部に逃すことができ、上部筐体３０の放熱性を高めることができる。
【００５３】
また、実施形態にかかる照明装置１では、底板部３０５は、取付部材３５２を取り付けるための取付穴３１４、３１５を有している。したがって、照明装置１によれば、取付部材３５２を底板部３０５に取り付けることができる。また、照明装置１は、取付部材としての固定部材３０６、電源部３０７及び放熱板３１０により天板３０２を底板部３０５に取り付けることから、取付穴３１４、３１５より内部に空気を取り入れることができ、放熱性を高めることができる。
【００５４】
また、実施形態にかかる照明装置１では、下部筐体２０は、光源部２０２を冷却するための放熱フィン２０５が並べられた放熱ユニット２０１であり、取付部材３５２を取り付けるための取付穴３１４、３１５は、放熱フィン２０５の間、又は放熱フィン２０５により一部が隠される位置に設けられる。したがって、取付穴３１４、３１５における作業性や、取付穴３１４、３１５からの空気の取り入れを容易とすることができる。
【００５５】
また、実施形態にかかる照明装置１において、取付部材は、電源部３０７と、その電源部３０７に取り付けられた部材（固定部材３０６、放熱板３１０）を含む。したがって、照明装置１は、取付部材としての固定部材３０６、電源部３０７及び放熱板３１０により、天板３０２を底板部３０５に取り付けることができる。
【００５６】
また、実施形態にかかる照明装置１において、電源部３０７は、天板３０２、底板部３０５とは、電源部３０７に取り付けられた部材（固定部材３０６、放熱板３１０）を介して接続する。これにより、照明装置１は、電源部３０７の放熱性を高めることができる。
【００５７】
また、上記実施形態に係る各部材の形状、原料及び材質は、実施形態や各図に表記した例に限られない。例えば、下部筐体２０、上部筐体３０などは、円柱状の形状を例示したが、角柱状の形状であってもよい。
【００５８】
以上説明したとおり、上記実施形態によれば、上部筐体の放熱性を高めることができる。
【００５９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６０】
１、１ａ…照明装置、２…天井、１０…反射傘、２０…下部筐体、３０、３０ａ…上部筐体、４０…吊り下げ部、２０１…放熱ユニット、２０２…光源部、２０５…放熱フィン、２０５ａ…通気孔、２０７…光源モジュール、３０１…カバー部材、３０２、３５０…天板、３０４…ネジ穴、３０５…底板部、３０６…固定部材、３０７…電源部、３１０…放熱板、３１４、３１５…取付穴、３１７、３１８…挿入穴、３５２…取付部材、３５３…挿通穴、３７０…大径部、３７１…小径部、Ｓ１、Ｓ２…間隙、Ｗａ、Ｗｂ、Ｗ１、Ｗ２…風
【図１】
2015158987.tif 000003
【図２】
2015158987.tif 000004
【図３】
2015158987.tif 000005
【図４】
2015158987.tif 000006
【図５】
2015158987.tif 000007
【図６】
2015158987.tif 000008
【図７】
2015158987.tif 000009
【図８】
2015158987.tif 000010
【図９】
2015158987.tif 000011
【図１０】
2015158987.tif 000012
【図１１】
2015158987.tif 000013
【図１２】
2015158987.tif 000014